(57)【要約】【課題】フード部と端子保持部とを合体させる防水コネクタにおいて電気接続部の長さ寸法が大きくなることを防ぐ。【解決手段】フード部７１と、このフード部７１と別体に形成されて内部に雄型端子５０を保持する端子保持部７２とからなり、フード部７１と端子保持部７２とが合体することにより構成される雄側コネクタ１０であって、フード部７１と端子保持部７２との間には、フード部７１と端子保持部７２との間をシールする雄側シール部材８３が設けられており、雄型端子５０は、雌型端子５０に接続される電気接続部５３と、電気接続部５３の後方に隣接して形成された端子本体部５２とを備えて構成されており、端子保持部７２には、端子本体部５２の前端部である繋ぎ部５４が端子保持部７２から前方に突出した状態で雄型端子５０が保持されているところに特徴を有する。【選択図】図１
2014041741.tif 000002
【特許請求の範囲】
【請求項１】
雌型端子を保持する雌側コネクタが内部に嵌合されるフード部と、このフード部と別体に形成されて内部に雄型端子を保持する端子保持部とからなり、前記フード部の嵌合方向後側に前記端子保持部が合体することにより構成される防水コネクタであって、
前記フード部と前記端子保持部との間には、前記フード部と前記端子保持部とに挟み込まれることで、前記フード部と前記端子保持部との間をシールするシール部材が設けられており、
前記雄型端子は、前記雌型端子に接続される電気接続部と、前記電気接続部の後方に隣接して設けられた端子本体部とを備えて構成されており、
前記端子保持部には、前記端子本体部の前端部が前記端子保持部から前記フード部側に突出した状態で前記雄型端子が保持されているコネクタ。
【請求項２】
前記フード部は、前記フード部と前記端子保持部とが合体した際に、前記端子本体部の前端部を収容する収容部が嵌合方向前側に凹んで形成されている請求項１記載の防水コネクタ。
【請求項３】
前記収容部は、前記フード部の壁を嵌合方向前側に膨出させることで、前記フード部の壁の厚さ寸法よりも深く凹んで形成されている請求項２記載の防水コネクタ。
【請求項４】
前記端子保持部には、前記フード部と前記端子保持部とが合体する前の状態において、前記端子本体部を前方から係止する前止まり部が形成されている請求項１乃至請求項３の何れか一項に記載の防水コネクタ。
【発明の詳細な説明】
【技術分野】
【０００１】
本発明は、防水コネクタに関する。
【背景技術】
【０００２】
従来、端子毎に個別に防水が可能な防水コネクタとして、下記特許文献１に記載のものが知られている。この防水コネクタは、雌側コネクタを内部に嵌合するフード部と、フード部と別体に形成されて雄型端子を保持する端子保持部と、フード部と端子保持部との間をシールするシール部材とを備えており、シール部材を両側から挟むようにしてフード部と端子保持部とを合体させることにより構成されるようになっている。
【０００３】
雄型端子は、雌側コネクタに収容された雌型端子に接続される電気接続部と、電線接続部の後方に隣接して形成された端子本体部とを備えている。そして、端子本体部が端子保持部内に収容されて、電気接続部が端子保持部から突出した状態で雄型端子が端子保持部に保持されている。また、シール部材を挟むようにしてフード部と端子保持部とを合体させると、端子保持部から突出した電気接続部がシール部材に形成された挿通孔とフード部の後壁に形成された挿通孔とに挿通されて、電気接続部がフード部の後壁からフード部の内部空間に向かって突出するようになっている。
【先行技術文献】
【特許文献】
【０００４】
【特許文献１】特開２００６−１４７２５４号公報
【発明の概要】
【発明が解決しようとする課題】
【０００５】
ところが、上記の防水コネクタでは、フード部の後壁から電気接続部を突出させるために、シール部材とフード部の後壁とを電気接続部によって貫いていることから、電気接続部の長さ寸法が長くなってしまい、その対策が切望されていた。
【０００６】
本発明は上記のような事情に基づいて完成されたものであって、フード部と端子保持部とを合体させる防水コネクタにおいて電気接続部の長さ寸法が長くなることを防ぐことを目的とする。
【課題を解決するための手段】
【０００７】
上記の目的を達成するための手段として本発明は、雌型端子を保持する雌側コネクタが内部に嵌合されるフード部と、このフード部と別体に形成されて内部に雄型端子を保持する端子保持部とからなり、前記フード部の嵌合方向後側に前記端子保持部が合体することにより構成される防水コネクタであって、前記フード部と前記端子保持部との間には、前記フード部と前記端子保持部とに挟み込まれることで、前記フード部と前記端子保持部との間をシールするシール部材が設けられており、前記雄型端子は、前記雌型端子に接続される電気接続部と、前記電気接続部の後方に隣接して設けられた端子本体部とを備えて構成されており、前記端子保持部には、前記端子本体部の前端部が前記端子保持部から前記フード部側に突出した状態で前記雄型端子が保持されているところに特徴を有する。
このような構成の防水コネクタによると、端子保持部から突出した端子本体部の前端部が、フード部と端子保持部とを合体させた際に、シール部材の挿通孔に挿通されることになる。これにより、フード部と端子保持部とを合体させる防水コネクタにおいて、雌型端子に接続される電気接続部をシール部材の厚さ寸法分短くすることができる。
【０００８】
本発明の実施の態様として、以下の構成が好ましい。
前記フード部は、前記フード部と前記端子保持部とが合体した際に、前記端子本体部の前端部を収容する収容部が嵌合方向前側に凹んで形成されている構成としてもよい。
このような構成によると、端子保持部から突出した端子本体部の前端部が、フード部と端子保持部とを合体させた際に、シール部材の挿通孔に挿通されると共に、フード部の収容部に収容される。これにより、電気接続部を収容部の深さ寸法分さらに短くすることができる。
【０００９】
前記収容部は、前記フード部の壁を嵌合方向前側に膨出させることで、前記フード部の壁の厚さ寸法よりも深く凹んで形成されている構成としてもよい。
このような構成によると、フード部の壁よりも前側に端子本体部の前端部を配することができるので、電気接続部をさらに短く設定することができる。
【００１０】
前記端子保持部には、前記フード部と前記端子保持部とが合体する前の状態において、前記端子本体部を前方から係止する前止まり部が形成されている構成としてもよい。
一般に、端子保持部において、雄型端子を前止まりさせるには端子本体部の嵌合方向前側に前壁を形成する。ところが、端子保持部から端子本体部の前端部が突出している場合、端子本体部の嵌合方向前側に前壁を設けることができない。ところが、本実施形態によると、前止まり部によって端子本体部を前方から係止することができるので、フード部と端子保持部とを合体させる前の状態においても、雄型端子を前止まりさせることができる。これにより、端子保持部に対して雄型端子を必要以上に挿入し過ぎることを防ぐことができる。
【発明の効果】
【００１１】
本発明によれば、フード部と端子保持部とを合体させる防水コネクタにおいて電気接続部の長さ寸法が長くなることを防ぐことができる。
【図面の簡単な説明】
【００１２】
【図１】雄側コネクタと雌側コネクタとが嵌合される前の状態を示す断面図
【図２】雄側コネクタと雌側コネクタとが嵌合した状態を示す断面図
【図３】雄側コネクタの分解断面図
【図４】フード部と端子保持部とが合体する前の状態を示す断面図
【図５】フード部の背面図
【図６】雄側シール部材の正面図
【発明を実施するための形態】
【００１３】
＜実施形態＞
本発明の実施形態について図１乃至図６を参照して説明する。
本実施形態の防水コネクタは、複数の雄型端子５０を収容して、雌側コネクタ４０と嵌合される雄側コネクタ１０を例示している。なお、以下の説明において、上下方向とは、図１における上下方向を基準とし、前後方向とは、図１における雌側コネクタ４０と雄側コネクタ１０との嵌合方向を基準として、互いに嵌合する側を前側とする。
【００１４】
雌側コネクタ４０は、図１および図２に示すように、雌型端子２０を保持する雌側ハウジング４１と、雌側ハウジング４１の上面に上下方向に弾性変形可能に設けられたロックアーム４９とを有している。
【００１５】
雌型端子２０は、導電性に優れた金属板材をプレス加工することにより形成されており、角筒状の接続筒部２１と、接続筒部２１の後方に設けられた電線圧着部２２とを備えて構成されている。接続筒部２１は前後方向に開口しており、前側開口から雄側コネクタ１０の雄型端子５０が挿入されることで、雄型端子５０と電気的に接続されるようになっている。電線圧着部２２は、一対のかしめ片２４を有しており、この一対のかしめ片２４が電線Ｗの端末において露出された芯線Ｗ１と電線Ｗに外嵌された円筒状のゴム栓Ｇとに圧着されることにより、雌型端子２０が電線Ｗの端末に接続されている。
【００１６】
雌側ハウジング４１は、前後方向に長いブロック状をなしており、雌側ハウジング４１の内部には、前後方向に貫通する丸孔形状のキャビティ４２が複数形成されている。キャビティ４２の上側内壁には、斜め前下方に延びる片持ち状のランス４３が形成されており、ランス４３がキャビティ４２内に挿入された雌型端子２０を後方から弾性的に係止することで、雌型端子２０が雌側ハウジング４１内に保持されるようになっている。また、雌型端子２０が雌側ハウジング４１内に保持されると、雌型端子２０によって圧着されたゴム栓Ｇがキャビティ４２の後側内周面に密着して、各キャビティ４２の後側開口から内部に水が浸入することが防止されている。
【００１７】
雌側ハウジング４１の前端部には、フロントキャップ４４が装着可能とされている。
フロントキャップ４４は、雌側ハウジング４１の前端部を前側から覆う形状をなしており、フロントキャップ４４の後端部に形成された係止部４４Ａと雌側ハウジング４１に設けられた被係止部４１Ａとを係止させることにより、雌側ハウジング４１にフロントキャップ４４が装着されるようになっている。
【００１８】
フロントキャップ４４の前壁には、雄側コネクタ１０の雄型端子５０が挿通される端子挿入口４５が複数形成されている。この端子挿入口４５は、フロントキャップ４４の前壁を前後方向に貫通して形成されており、雌側ハウジング４１の各キャビティ４２に対応して形成されている。また、端子挿入口４５は、前側に向かうほど拡幅した形状とされている。
【００１９】
フロントキャップ４４における前壁の内側には、平板状の雌側シール部材４６が装着されている。この雌側シール部材４６は、フロントキャップ４４が雌側ハウジング４１の前端部に装着されると、フロントキャップ４４の前壁と雌側ハウジング４１の前端面との間で前後方向に圧縮され、雌側ハウジング４１の前面とフロントキャップ４４の前壁との間をキャビティ４２毎に個別にシールするようになっている。
【００２０】
また、雌側シール部材４６には、同雌側シール部材４６を前後方向に貫通する貫通孔４７が複数形成されている。この貫通孔４７は、フロントキャップ４４の各端子挿入口４５と雌側ハウジング４１の各キャビティ４２との間を連通させるように形成されており、各貫通孔４７の内周面には、全周に亘って突出する環状リップ４８が形成されている。
【００２１】
ロックアーム４９は、前後方向に長い平板状に形成されており、ロックアーム４９の前後方向略中央部を支点としてシーソー状に弾性変形可能とされている。また、ロックアーム４９の前部には、ロックアーム４９を上下方向に貫通するロック孔４９Ａが形成されている。
【００２２】
雄側コネクタ１０は、図２に示すように、雌側コネクタ４０の雌側ハウジング４１の前側部分を内部に嵌合するフード部７１と、フード部７１と別体に形成されて内部に雄型端子５０を保持する端子保持部７２とを備えており、端子保持部７２がフード部７１に対して後側から組み付けられることにより、フード部７１と端子保持部７２とが合体して雄側コネクタ１０が構成されるようになっている。
【００２３】
端子保持部７２は、図１および図３に示すように、前後方向に長いブロック状に形成されており、端子保持部７２の内部には、雄型端子５０を後方から収容する複数のキャビティ７３が形成されている。
雄型端子５０は、雌型端子２０と同様に、導電性を有する金属板材をプレス加工することにより形成されている。また、雄型端子５０は、電線Ｗに圧着される電線圧着部５１と、電線圧着部５１の前方に設けられた端子本体部５２と、雌型端子２０の接続筒部２１に挿入される電気接続部５３とを備えて構成されている。
【００２４】
電線圧着部５１は、一対のかしめ片５５を有しており、この一対のかしめ片５５が電線Ｗの端末において露出された芯線Ｗ１と電線Ｗに外嵌された円筒状のゴム栓Ｇとに圧着されることにより、雄型端子５０が電線Ｗの端末に接続されている。
【００２５】
端子本体部５２は、前後方向に長い箱形状をなしている。端子本体部５２の上部には、端子本体部５２の上面における前後方向略中央部を一段下げることにより、端子本体部５２の前部にランス係止部５６が形成されており、端子本体部５２の下面における幅方向略中央部には、前側に切り立った面を有する係止突起５７が突設されている。
【００２６】
端子本体部５２は、同端子本体部５２の前端部に繋ぎ部５４を有している。繋ぎ部は、前方に向かって徐々に細くなる先細り状をなしており、繋ぎ部５４の前方に繋ぎ部５４から前方に向かって真っ直ぐ延びる細長いピン状の電気接続部５３が形成されている。
【００２７】
端子保持部７２のキャビティ７３は、端子保持部７２を前後方向に貫通して形成されている。
キャビティ７３の前端部における上側内壁には、斜め前下方に片持ち状に延びるランス７４が形成されている。このランス７４は、ランス７４の上方に形成された撓み空間Ｓに向かって弾性変形可能とされている。ランス７４は、雄型端子５０がキャビティ７３内に挿入される際に、雄型端子５０の端子本体部５２によって上方に押圧されることで撓み空間Ｓに向かって弾性変形する。そして、雄型端子５０がキャビティ７３に対して正規の位置まで挿入されると、端子本体部５２による押圧状態が解除され、ランス７４が弾性復帰することで端子本体部５２のランス係止部５６が後方からランス７４によって係止される。これにより、雄型端子５０が後方に抜止された状態で端子保持部７２内に保持されるようになっている。
【００２８】
また、雄型端子５０が端子保持部７２内に保持されると、端子保持部７２から電気接続部５３が前方に突出した状態となるとともに、雄型端子５０によって圧着されたゴム栓Ｇがキャビティ７３の後側内周面に密着して、各キャビティ７３の後側開口から内部に水が浸入することが防止されている。
【００２９】
各キャビティ７３の前側部分における幅方向略中央部には、端子本体部５２の係止突起５７が通過可能な逃がし溝７５が形成されている。逃がし溝７５は、各キャビティ７３の底壁を前後方向に直線状に切り欠くようにして形成されており、逃がし溝７５の前壁は、係止突起５７を前方から係止する前止まり部７６とされている。そして、キャビティ７３内に雄型端子５０が挿入されると、係止突起５７が逃がし溝７５内を通過し、雄型端子５０が正規の位置まで挿入されると前止まり部７６によって係止突起５７が前方から係止される。これにより、端子保持部７２に対して雄型端子５０を必要以上に挿入し過ぎることを防ぐことができるようになっている。
【００３０】
また、各キャビティ７３の前端部分は、図３に示すように、キャビティ７３の他の部分よりも上側に拡幅された形状をなしており、キャビティ７３の前側開口からキャビティ７３の上側部分にランス解除治具を挿入することができるようになっている。これにより、フード部と端子保持部とが一体に形成される場合に比べて、端子本体部５２のランス係止部５６とランス７４との係止状態を容易に解除することができるようになっている。
【００３１】
フード部７１は、図１および図３に示すように、前方に向かって開口するフード状に形成されており、フード部７１の後方に位置する後壁７１Ａには、同後壁７１Ａを前後方向に貫通する複数の端子挿通孔７７が形成されている。各端子挿通孔７７は、端子保持部７２に保持された雄型端子５０に対応して形成されており、フード部７１と端子保持部７２とが合体すると、図１に示すように、端子挿通孔７７内に雄型端子５０の電気接続部５３が挿通され、フード部７１の後壁７１Ａからフード部７１の内部空間に向かって雄型端子５０の電気接続部５３が突出するようになっている。
【００３２】
フード部７１の後壁７１Ａにおける端子挿通孔７７の前側開口縁には、前方に向かって突出する円筒状の防水壁７８が形成されている。この防水壁７８は、フード部７１内に突出した電気接続部５３の基端部を全周に亘って覆うように形成されている。また、防水壁７８とフード部７１の後壁７１Ａとの間には、フード部７１の後壁７１Ａを全周に亘って膨出させた膨出部７８Ａが形成されている。そして、フード部７１内に雌側ハウジング４１が嵌合されると、この防水壁７８が電気接続部５３と共に、雌側ハウジング４１に装着されたフロントキャップ４４の端子挿入口４５を通じて雌側シール部材４６の貫通孔４７に挿入される。そして、図２に示すように、フード部７１と雌側ハウジング４１とが正規の嵌合位置に至ると、防水壁７８の外周面と貫通孔４７の環状リップ４８とが密着することで、フード部７１と雌側ハウジング４１との間がキャビティ４２毎に個別に防水され、電気接続部５３が雌側ハウジング４１に保持された雌型端子２０の接続筒部２１内に挿入されることで、電気接続部５３と接続筒部２１とが電気的に接続される。
【００３３】
また、フード部７１と雌側ハウジング４１とが正規の嵌合位置に至ると、膨出部７８Ａが雌側ハウジング４１の端子挿入口４５内に収容されると共に、フード部７１の上部に突設されたロック突起７９がロックアーム４９のロック孔４９Ａに弾性的に嵌まり込み、フード部７１と雌側ハウジング４１とが嵌合状態にロックされるようになっている。
【００３４】
フード部７１の後壁７１Ａにおける後面には、図３および図４に示すように、雄側シール部材（「シール部材」の一例）８３が装着される装着凹部８４が凹設されている。この装着凹部８４は、図５に示すように、後方から見て略矩形状をなしている。また、装着凹部８４は、端子挿通孔７７が形成されている範囲よりも大きく、かつ、端子保持部７２の前端面よりも大きく形成されている。装着凹部８４の奥面（後面）８４Ａにおける各端子挿通孔７７の上側には、図３および図４に示すように、後方に突出する平板状のリテーナ８５が形成されている。このリテーナ８５は、フード部７１と端子保持部７２とが合体すると、図１に示すように、端子保持部７２におけるランス７４の撓み空間Ｓに前方から進入し、ランス７４が撓み空間Ｓに向かって弾性変形することを規制する。これより、雄型端子５０が二重に係止され、端子保持部７２から確実に抜止めされるようになっている。
【００３５】
雄側シール部材８３は、図３および図６に示すように、平板状をなしており、雄側シール部材８３には、同雄側シール部材８３を板厚方向（前後方向）に貫通する挿通孔８６が複数形成されている。各挿通孔８６は、上側が下側に比べてやや幅広に形成されており、挿通孔８６の上側には、フード部７１のリテーナ８５がそれぞれ挿通されるようになっている。そして、フード部７１に対して端子保持部７２が正規の位置に組み付けられると、図１に示すように、挿通孔８６の上側にリテーナ８５が前方から挿通され、挿通孔８６の下側に雄型端子５０が後方から挿通される。また、これと同時に、雄側シール部材８３が端子保持部７２の前面と装着凹部８４の奥面８４Ａとの間で前後方向に挟み込まれ、端子保持部７２の前端部が装着凹部８４内に僅かに進入する位置まで雄側シール部材８３が圧縮されることで、フード部７１の後壁７１Ａと端子保持部７２の前面との間がキャビティ７３毎に個別に防水される。
また、雄側シール部材８３には、図３および図６に示すように、雄側シール部材８３の前面から前方に突出する突部８３Ａが形成されており、この突部８３Ａをフード部７１の装着凹部８４の奥面８４Ａに形成された凹部８４Ｂ（図５参照）に嵌め合わせることで、装着凹部８４に対して上下逆さに装着されないようになっている。
【００３６】
フード部７１の後壁７１Ａには、図３に示すように、フード部７１の幅方向両側から後方に延出される一対の延出壁８０が形成されている。各延出壁８０の内側には、前後方向に直線状に延びる案内溝８１が複数形成されており、これらの案内溝８１が、端子保持部７２の幅方向両側に突設された複数の突起（図示せず）を案内することで、フード部７１に対して端子保持部７２が後方から真っ直ぐ組み付けられるようになっている。これにより、端子保持部７２内に保持された雄型端子５０の電気接続部５３を、フード部７１の後壁７１Ａに当接させることなく、端子挿通孔７７に挿通させることができるようになっている。
【００３７】
フード部７１の後壁７１Ａにおける上下方向両側には、図３および図４に示すように、後方に延出された一対の係止片８２が形成されている。各係止片８２は上下方向に弾性変形可能に形成されており、一対の係止片８２の間に端子保持部７２が配されて、フード部７１に対して端子保持部７２が正規の位置に組み付けられると、図１に示すように、各係止片８２に設けられたロック孔８２Ａに端子保持部７２の上下方向両側に形成されたロック突部７２Ａが弾性的に嵌まり込み、フード部７１と端子保持部７２とが合体状態にロックされるようになっている。
【００３８】
さて、端子保持部７２に保持された雄型端子５０は、図３に示すように、電気接続部５３だけでなく、繋ぎ部５４も端子保持部７２から前方（フード部７１側）に突出した状態となっており、これに合わせて、雄側シール部材８３の挿通孔８６は繋ぎ部５４が挿通可能な大きさに形成され、フード部７１の後壁７１Ａには、繋ぎ部５４を内部に収容する収容部８７が形成されている。
【００３９】
雄型端子５０の繋ぎ部５４は、端子保持部７２から繋ぎ部５４全体がほぼ突出した状態とされている。
一方、収容部８７は、防水壁７８の後側において、装着凹部８４の奥面８４Ａから前方に向かって徐々に幅が狭くなるように形成されており、フード部７１の後壁７１Ａと防水壁７８との間に膨出部７８Ａを設けたことで収容部８７の深さ寸法がフード部７１の後壁７１Ａの厚さ寸法（前後方向の長さ寸法）よりも大きく設定されている。そして、フード部７１と端子保持部７２とを合体させると、図１に示すように、繋ぎ部５４の前端部が収容部８７に収容されて、電気接続部５３がフード部７１の後壁７１Ａにおける前面とほぼ同じ位置から前方に突出した状態となるようになっている。
【００４０】
また、収容部８７の深さ寸法と装着凹部８４の深さ寸法とを合わせた大きさは、繋ぎ部５４の前後方向の長さ寸法とほぼ同じになるように設定されており、フード部７１と端子保持部７２とを合体させると、繋ぎ部５４が、収容部８７と装着凹部８４に装着された雄側シール部材８３の挿通孔８６との間に完全に収容されるようになっている。これにより、端子保持部７２の前面と装着凹部８４の奥面８４Ａとの間で雄側シール部材８３を前後方向に確実に圧縮することができるようになっている。
【００４１】
本実施形態の雄側コネクタ１０は、以上のような構成であって、続いて雄側コネクタ１０の組み立て方法を説明すると共にその作用効果を説明する。
まず、端子保持部７２のキャビティ７３に雄型端子５０を後方から挿入し、雄型端子５０がキャビティ７３の正規の位置まで挿入されると、図３に示すように、端子本体部５２のランス係止部５６がランス７４によって後方から係止され、これと同時に、端子本体部５２の係止突起５７が前止まり部７６によって前方から係止される。これにより、雄型端子５０の電気接続部５３および繋ぎ部５４が端子保持部７２から前方に突出した状態で雄型端子５０が端子保持部７２に保持される。
【００４２】
ところで、一般に、端子保持部において雄型端子を前止まりさせるには繋ぎ部の前側に前壁を形成して、雄型端子を前止りさせる。ところが、端子保持部から繋ぎ部が突出している場合、繋ぎ部の嵌合方向前側に前壁を設けることができない。しかしながら、本実施形態によると、図３に示すように、前止まり部７６によって端子本体部５２の係止突起５７を前方から係止しているので、フード部７１と端子保持部７２とが合体する前の状態においても、雄型端子５０を前止まりさせることができる。これにより、端子保持部７２に対して雄型端子５０を必要以上に挿入し過ぎることを防ぐことができる。
【００４３】
次に、フード部７１の後方から、雄側シール部材８３の突部８３Ａを装着凹部８４の凹部８４Ｂに嵌め合わせるようにして、フード部７１の装着凹部８４に対して雄側シール部材８３を装着することで、雄側シール部材８３の挿通孔８６内にフード部７１のリテーナ８５が挿通されるともに、雄側シール部材８３の前面が装着凹部８４の奥面８４Ａに面接触した状態となる。
【００４４】
次に、図４に示すように、雄型端子５０が保持された端子保持部７２をフード部７１の後方に配置し、フード部７１に対して端子保持部７２を組み付ける。このとき、端子保持部７２の幅方向両側に突設された複数の突起がフード部７１の延出壁８０における案内溝８１によって案内される。これにより、フード部７１に対して端子保持部７２が後方から真っ直ぐ組み付けることができ、電気接続部５３をフード部７１の後壁７１Ａに当接させることなく、端子挿通孔７７に挿通することができる。
【００４５】
そして、フード部７１に対して端子保持部７２が正規の位置まで組み付けられると、図１に示すように、フード部７１のリテーナ８５が端子保持部７２におけるランス７４の撓み空間Ｓに進入して、雄型端子５０が二重に係止される。また、これと同時に、繋ぎ部５４が、装着凹部８４に装着された雄側シール部材８３の挿通孔８６と収容部８７との間に完全に収容される。これにより、電気接続部５３をフード部７１の後壁７１Ａにおける前面とほぼ同じ位置から前方に突出させた状態にすることができ、従来の防水コネクタに比べて、雄側シール部材８３の厚さ寸法とフード部７１の後壁７１Ａの厚さ寸法とを合わせた分だけ電気接続部５３の前後方向の長さ寸法を短くすることができる。
【００４６】
また、繋ぎ部５４が、収容部８７と装着凹部８４に装着された雄側シール部材８３の挿通孔８６との間に完全に収容されることで、雄側シール部材８３が端子保持部７２の前面と装着凹部８４の奥面８４Ａとの間で前後方向に挟み込まれて確実に圧縮され、フード部７１の後壁７１Ａと端子保持部７２の前面との間をキャビティ７３毎に確実に防水することができる。
【００４７】
次に、雄側コネクタ１０と雌側コネクタ４０とを嵌合させる際の作用効果を説明する。
雄側コネクタ１０と、雌側コネクタ４０とを向かい合わせに配置し、フード部７１内に雌側ハウジング４１を嵌合させる。すると、雌側ハウジング４１のフロントキャップ４４の端子挿入口４５から雄型端子５０の電気接続部５３と防水壁７８とが進入する。そして、フード部７１と雌側ハウジング４１とが正規の嵌合状態に至ると、図２に示すように、電気接続部５３が雌側ハウジング４１内に保持された雌型端子２０の接続筒部２１内に挿入されて、雄型端子５０と雌型端子２０とが電気的に接続される。また、これとほぼ同時に、防水壁７８が雌側シール部材４６の貫通孔４７に進入し、防水壁７８の外周面と環状リップ４８とが密着する。これにより、フード部７１と雌側ハウジング４１との間がキャビティ４２毎（端子２０，５０毎）に個別に防水される。また、フード部７１の上部に突設されたロック突起７９がロックアーム４９のロック孔４９Ａに嵌まり込み、フード部７１と雌側ハウジング４１とが嵌合状態にロックされる。
【００４８】
以上のように、本実施形態の雄側コネクタ１０によると、端子保持部７２から繋ぎ部５４を突出させて、この突出した繋ぎ部５４を、雄側シール部材８３の挿通孔８６とフード部７１に形成された収容部８７との間において収容することができる。これにより、各端子２０，５０を個別に防水する雄側コネクタ１０において、フード部７１と端子保持部７２とを合体させるように構成しつつも、従来の防水コネクタに比べて、雄側シール部材８３の厚さ寸法とフード部７１の後壁７１Ａの厚さ寸法とを合わせた分だけ電気接続部５３の長さ寸法を短くすることができる。
【００４９】
ところで、防水壁を有する防水コネクタにおいて、電気接続部を短く成形する方法としては、フード部と端子保持部とを一体に形成することで、雄側シール部材を不要とすると共に、フード部の後壁を薄くする方法が考えられる。しかしながら、フード部と端子保持部とを一体に形成すると、ランス解除治具を挿入するための治具挿入孔を、フード部の後壁における防水壁の内側に形成する必要があるため、防水壁が大型化し、フード部まで大型化してしまう。
【００５０】
ところが、本実施形態の雄側コネクタ１０によると、端子保持部７２からフード部を取り外すことで、端子保持部７２の前方からランス解除治具を容易に挿入することができるようにしつつ、防水壁７８やフード部７１が大型化することを防ぐことができ、さらには、雄型端子５０における電気接続部５３の長さ寸法を短くすることができる。
【００５１】
＜他の実施形態＞
本発明は上記記述及び図面によって説明した実施形態に限定されるものではなく、例えば次のような実施形態も本発明の技術的範囲に含まれる。
（１）上記実施形態では、装着凹部８４の深さ寸法と収容部８７の深さ寸法とを合わせた寸法と繋ぎ部５４における前後方向の長さ寸法とがほぼ同一となるように構成としたが、本発明はこのような態様に限定されるものではなく、例えば、装着凹部の深さ寸法と収容部の深さ寸法とを合わせた寸法が、繋ぎ部における前後方向の長さ寸法よりも長く設定されていてもよい。
（２）上記実施形態では、フード部７１の後壁７１Ａと防水壁７８との間に膨出部７８Ａを構成したが、本発明はこのような態様に限定されるものではなく、例えば、繋ぎ部をフード部の後壁内に完全に収容させるように構成することで、フード部の後壁と防水壁との間に膨出部を形成しない構成としてもよい。
【００５２】
（３）上記実施形態では、フード部７１にリテーナ８５を設けた構成としたが、本発明はこのような態様に限定されるものではなく、例えば、フード部にリテーナを形成しない構成としてもよい。
（４）上記実施形態では、電気接続部５３と繋ぎ部５４とが端子保持部７２から前方に突出した構成としたが、本発明はこのような態様に限定されるものではなく、例えば、繋ぎ部だけでなく、繋ぎ部よりもやや後側に位置する端子本体部の前端部が端子保持部から前方に突出する構成としてもよい。
【符号の説明】
【００５３】
１０：雄側コネクタ（防水コネクタ）
２０：雌型端子
４０：雌側コネクタ
５０：雄型端子
５２：端子本体部
５３：電気接続部
７１：フード部
７２：端子保持部
７６：前止まり部
８３：雄側シール部材（シール部材）
８６：挿通孔
８７：収容部
【図１】
2014041741.tif 000003
【図２】
2014041741.tif 000004
【図３】
2014041741.tif 000005
【図４】
2014041741.tif 000006
【図５】
2014041741.tif 000007
【図６】
2014041741.tif 000008